(57)【特許請求の範囲】
【請求項１】
箱状に形成され一面が開口した筺体と、この筺体の開口を開閉する表面パネルと、この表面パネルの施錠・解錠を行う錠前とを備えた公衆電話機における表面パネルの施錠構造において、前記筺体の開口の上端縁に上方に向かって折り曲げ形成した係合部を突設し、前記表面パネルの上端縁に前記係合部に係合しこの係合部とともに表面パネルを回動自在に支持する被係合部を設け、前記表面パネルの両側端に、表面パネルで筺体の開口を閉じることにより、開口の両側縁に重なる側面部を設け、前記錠前の鍵操作によって移動するピンに係合するフックを表面パネルの下方内側に設け、前記筺体の内側の上部に係止部を設け、前記表面パネルの内側の上部に、表面パネルで筺体の開口を閉じることにより前記係止部に係止される被係止部を設けたことを特徴とする公衆電話機における表面パネルの施錠構造。
【請求項２】
箱状に形成され一面が開口した筺体と、この筺体の開口を開閉する表面パネルと、この表面パネルの施錠・解錠を行う錠前とを備えた公衆電話機における表面パネルの施錠構造において、前記筺体の開口の上端縁に上方に向かって折り曲げ形成した係合部を突設し、前記表面パネルの上端縁に前記係合部に係合しこの係合部とともに表面パネルを回動自在に支持する被係合部を設け、前記表面パネルの両側端に、表面パネルで筺体の開口を閉じることにより、開口の両側縁に重なる側面部を設け、前記錠前の鍵操作によって移動するピンに係合するフックを表面パネルの下方内側に設け、前記表面パネルの裏面側に設けた補強板に前記フックを形成したこと特徴とする公衆電話機における表面パネルの施錠構造。
【発明の詳細な説明】
【０００１】
【発明の属する技術分野】
本発明は、箱状に形成された筺体の開口を開閉する公衆電話機における表面パネルの施錠構造に関する。
【０００２】
【従来の技術】
一般に、この種の公衆電話機における表面パネルの施錠構造においては、一面が開口され全体が箱状を呈し、内部に装置を制御する制御回路等を備えた回路基板が設けられた筺体と、この筺体を開閉する表示パネルとが備えられている。平時には、この表示パネルは筺体に設けた錠前によって施錠され、一方、筺体内の制御基板等を保守点検するときには、解錠されて筺体の開口を開放するように構成されている。
【０００３】
この種の施錠構造としては、実公平５−４０２０３号公報に開示されたものがある。ここに開示されたものは、一面に開口が形成された箱状を呈した筺体と、この筺体の開口を覆う表示パネルと、筺体の開口の両側縁に上下に移動自在なロッキングプレートとが備えられている。ロッキングプレートは錠前の操作によって上下に移動し、ロッキングプレートに設けた係合鉤部と表示パネルに設けたロッキングピースとを係合させることによって表示パネルを筺体に施錠していた。
【０００４】
【発明が解決しようとする課題】
しかしながら、上述した従来の公衆電話機における表面パネルの施錠構造においては、施錠するためにのみ必要なロッキングプレートが設けられているために、構造が複雑となるだけではなく部品点数が増加し製造コストも増大するという問題があった。また、錠前の回動操作によってロッキングプレートを移動させる構造となっているために、ロッキングプレートの重量が錠前操作時の負荷となり、錠前の耐久性の劣化や操作性が悪いという問題もあった。
【０００５】
本発明は上記した従来の問題に鑑みなされたものであり、その目的とするところは、構造を簡素化し、部品点数の削減と、製造コストの低減とを図った公衆電話機における表面パネルの施錠構造を提供することにある。
【０００６】
【課題を解決するための手段】
この目的を達成するために、請求項１記載の発明は、箱状に形成され一面が開口した筺体と、この筺体の開口を開閉する表面パネルと、この表面パネルの施錠・解錠を行う錠前とを備えた公衆電話機における表面パネルの施錠構造において、前記筺体の開口の上端縁に上方に向かって折り曲げ形成した係合部を突設し、前記表面パネルの上端縁に前記係合部に係合しこの係合部とともに表面パネルを回動自在に支持する被係合部を設け、前記表面パネルの両側端に、表面パネルで筺体の開口を閉じることにより、開口の両側縁に重なる側面部を設け、前記錠前の鍵操作によって移動するピンに係合するフックを表面パネルの下方内側に設け、前記筺体の内側の上部に係止部を設け、前記表面パネルの内側の上部に、表面パネルで筺体の開口を閉じることにより前記係止部に係止される被係止部を設けたものである。
したがって、表面パネルと回動させ筺体の開口を閉じると、フックがピンの回動軌跡上に位置し、鍵操作によってピンを回動させるとピンがフックに係合し、表面パネルが施錠される。また、筺体の開口を閉じて施錠された表面パネルは、筺体の上部において係合部と係止部との２箇所で開くのが規制される。
【０００７】
また、請求項２記載の発明は、箱状に形成され一面が開口した筺体と、この筺体の開口を開閉する表面パネルと、この表面パネルの施錠・解錠を行う錠前とを備えた公衆電話機における表面パネルの施錠構造において、前記筺体の開口の上端縁に上方に向かって折り曲げ形成した係合部を突設し、前記表面パネルの上端縁に前記係合部に係合しこの係合部とともに表面パネルを回動自在に支持する被係合部を設け、前記表面パネルの両側端に、表面パネルで筺体の開口を閉じることにより、開口の両側縁に重なる側面部を設け、前記錠前の鍵操作によって移動するピンに係合するフックを表面パネルの下方内側に設け、前記表面パネルの裏面側に設けた補強板に前記フックを形成したものである。
したがって、補強板がフックを兼用するので、施錠するためにのみ必要な部材を設ける必要がない。
【０００８】
【発明の実施の形態】
以下、本発明の実施の形態を図に基づいて説明する。図１は本発明に係る公衆電話機の外観を示す正面図、図２は同じく側面図、図３は同じく表面パネルを分解して示す斜視図である。図４は同じく表面パネルを構成する外装部材を分解して示す斜視図、図５は同じく表面パネルを構成する中間部材の斜視図、図６は同じく中間部材の４面図、図７は同じく表面パネルを構成する補強板の斜視図、図８は同じく補強板の４面図である。図９は同じく表面パネルを組み付ける状態を説明するための正面図、図１０は図１における筺体の図示を省略したX-X 線断面図、図１１は図１０における要部を拡大して示す断面図、図１２は図１における筺体の図示を省略したXII-XII 線断面図である。
【０００９】
図１３は同じく筺体の正面図、図１４は図１３におけるXIIII-XIIII 線断面図、図１５は図１３におけるXV-XV 線断面図である。図１６は同じく筺体に表面パネルを組み付ける状態を示す図１におけるXII-XII 線断面図、図１７は同じく表面パネルによって筺体の開口を閉じた状態を示す図１におけるXII-XII 線断面図、図１８は同じく表面パネルを施錠した状態を示す図１におけるXII-XII 線断面図である。図１９は図１７における一部を破断して示すXVIIII矢視図である。
【００１０】
図１および図２において、全体を符号１で示す公衆電話機には、箱状に形成され前面が開口した筺体２が備えられ、この筺体２には、この筺体２の開口２ａ（図１４参照）を開閉自在とする表面パネル３が設けられている。この表面パネル３を構成する後述する外装部材１１の前面板１４の略中央部には、多数のダイヤルボタン５および機能ボタン６が外部に突出している。７は価値情報が記録されたＩＣカード（図示せず）を挿抜自在に保持するポケット部、８はハンドセット、９は透明プラスチックによって形成されたプロテクタである。図２において、筺体２の側板５２には、鍵操作によって回動する錠前１０が設けられており、この錠前１０を回動させることにより、後述するように表面パネル３が施錠、解錠するように構成されている。
【００１１】
図３において、表面パネル３は、相対的に厚みの薄い金属の板材によって形成された前面板１４と一対の側面板１５Ａ，１５Ｂとからなる外装部材１１と、合成樹脂によって形成された中間部材１２と、厚みの厚い金属の板材によって形成された補強板１３とによって構成されている。
【００１２】
図４において、外装部材１１の前面板１４は、略長方形に形成されており、上下端部がカール状に湾曲形成され、中央部が側面視において緩やかな曲面を呈するように湾曲に形成されている。また、この前面板１４の上端部は、下方に折り曲げられた被係合部１４ａが形成され、左右両端部には薄肉状に形成された被挟持部１４ｂ，１４ｂが設けられ、下端部には上方に折り曲げられた折曲部１４ｃが形成されている。１７はダイヤルボタン用の窓、１８は機能ボタン用の窓、１９はポケット部７を形成する窓、２０はハンドセット８の受話部を載置する載置部を形成するための窓である。
【００１３】
一対の側面板１５Ａ，１５Ｂの周端には、上述した前面板１４の被挟持部１４ｂの幅と略同じ高さで、この被挟持部１４ｂの外形よりわずかに大きく形成された囲い壁１５ａが立設され、これら側面板１５Ａ，１５Ｂは浅皿状に形成されている。一方の側面板１５Ａの裏面には、ブラケット２２が固着されており、このブラケット２２には、ねじ孔２２ｂが設けられた３個の取付片２２ａが直角に折り曲げ形成されている。他方の側面板１５Ｂの裏面には、ブラケット２３が固着されており、このブラケット２３には、ねじ孔２３ｃが設けられた２個の取付片２３ａ，２３ａが折り返されるように形成されているとともに、ねじ孔２３ｃが設けられた取付片２３ｂが直角に折り曲げ形成されている。
【００１４】
図５および図６において、中間部材１２は、略長方形の背板部２５と、この背板部２５の両側端に側面視が略長楕円形の一対の側部２６，２７とによって一体に形成され、この中間部材１２の正面視の外形は、上述した外装部材１１の前面板１４と略同じ外形を呈するように形成されている。背板部２５には、ダイヤルボタン５および機能ボタン６を摺動自在に案内する多数の摺動孔２５ａ，２５ｂが穿設されている。２５ｃは上述したポケット部７を形成する窓、２５ｄはハンドセット８の受話部を載置する凹部である。また、図６に示すように、この背板部２５の裏面には、後述するラバーシート３６とともに回路基板３７を補強板１３に取り付けるボス２５ｅが立設されているとともに、補強板１３を背板部２５に取り付けるボス２５ｆが立設されている。
【００１５】
側部２６，２７と背板部２５との境界には環状のリブ２６ａ，２７ａが突出形成され、一方の側部２６の側面には、３個の矩形の挿通孔２６ｂが穿設され、他方の側部２７の側面には、２個の矩形の挿通孔２７ｂ，２７ｂおよび１個の矩形の挿通孔２７ｃが穿設されている。
【００１６】
図７および図８において、補強板１３は、略長方形の前板３０と、この前板３０の両側端に折り曲げ形成された側板３１，３２と、前板３０の上端に折り曲げ形成された上板３３とによって形成され、前板３０の外形は上述した中間部材１２の背板部２５の外形よりもやや小さく形成されている。前板３０には、ダイヤルボタン５の外形よりも小さい外形をもつ貫通孔３０ａと、機能ボタン６の外形よりも小さい外形をもつ貫通孔３０ｂと、上述した中間部材１２のボス２５ｅに挿通される複数の挿通孔３０ｃとが穿設されている。また、この前板３０には、上述した中間部材１２のボス２５ｆに対応して複数の取付孔３０ｄと、３個の取付孔３０ｅと、１個の取付孔３０ｆが穿設されている。この前板３０の貫通孔３０ａが形成された部位は、貫通孔３０ａの横一列毎に漸次下方に向かって突出量が増加するように形成された側面視において階段状の３個の隆起部３０ｇが突設されている。
【００１７】
側板３１，３２の下部には、Ｌ字状のフック３１ａ，３２ａがそれぞれ水平方向に突設され、上部には被係止部３１ｂ，３２ｂがそれぞれ上方に向かって突設されている。一方の側板３２には、２個の切り起し部３２ｃ，３２ｃが突設され、これら切り起し部３２ｃ，３２ｃには、取付孔３２ｄ，３２ｄがそれぞれ設けられている。
【００１８】
図１０において、３５は液晶表示体、３６は導電スイッチが設けられたラバーシート、３７はラバーシート３６の導電スイッチによって開閉する接点を有するダイヤル回路が備えられた回路基板、３８は価値情報が記録されたＩＣカードの処理装置や通話回路等を制御する回路基板、３９はこれら両回路基板３７，３８を接続するコネクタである。図１１に示すように、回路基板３７の接点を開閉するラバーシート３６の導電スイッチが形成された押圧部３６ａは、上述した補強板１３の隆起部３０ｇと同様に、その高さＴが下方に向かって漸次大きくなるように形成されている。図１２において、４５はハンドセット８が掛けられるハンガーであって、ブラケット４６を介して軸４７を回動中心として補強板１３に揺動自在に支持されている。
【００１９】
次に、このような構成の表面パネル３の組付け方法を説明する。
あらかじめ、補強板１３にハンガー４５等の部品を実装する。図６において、中間部材１２の背板部２５の裏面側からダイヤルボタン５および機能ボタン６を摺動孔２５ａ，２５ｂに係入し、これらの上方から補強板１３を背板部２５に被せる。このとき、補強板１３の挿通孔３０ｃから、図６に示すボス２５ｅが突出する。図８において、補強板１３の前板３０の取付孔３０ｄに、図１２に示すねじ４０を挿通させ、中間部材１２のボス２５ｆに螺合させることにより補強板１３を中間部材１２に取り付ける。図８において、補強板１３の前板３０の裏面側から、前板３０の貫通孔３０ａ，３０ｂ上にラバーシート３６と回路基板３７を積層状態で被せると、回路基板３７の図示を省略した挿通孔から、中間部材１２のボス２５ｅが露呈する。したがって、図１０に示すように、ねじ４１をこのボス２５ｅに螺合させることにより、ラバーシート３６と回路基板３７とが補強板１３に取り付けられる。
【００２０】
このように、ダイヤルボタン５、機能ボタン６、ラバーシート３６および回路基板３７を補強板１３を介して中間部材１２に組み付けてユニット化したことにより、従来のように、これら部品を個々に表面パネル３に位置決めして組み付ける場合と比較して組立が容易になる。また、ハンガー４５等の部品を補強板１３に組み付けるようにしたことにより、従来のようにこれらの部品を個々にブラケットを介して筺体の裏面側に取り付けていた場合に比べて、組立が容易になる。しかも、ブラケットを筺体に溶接によって接合する必要がないため、筺体に溶接による痕跡が現れることがない。したがって、外観を損なうことがなく、製造コストも低減される。
【００２１】
次に、図１０に示すように、補強板１３の上板３３に断面コ字状の保持部材４２を取り付け、この保持部材４２に回路基板３８の上端縁を嵌合させ、回路基板３８の下部をスリーブ４４を介してねじ４３によって補強板１３に固定し、両回路基板３７，３８をコネクタ３９によって接続する。しかるのち、図３に示すように、外装部材１１の前面板１４を中間部材１２の前方側から背板部２５に被せ、図９に示すように、外装部材１１の一対の側面板１５Ａ，１５Ｂを中間部材１２の両側方から中間部材１２の両側部２６，２７に嵌合させる。
【００２２】
このとき、一方の側面板１５Ａの３個の取付片２２ａが、図６における中間部材１２の側部２６の挿通孔２６ｂを挿通して、図７における補強板１３の取付孔３０ｅに対応する。この取付孔３０ｅにねじ（図示せず）を挿通させ、取付片２２ａのねじ孔２２ｂに螺合させることにより、側面板１５Ａが補強板１３に固定されるとともに、側部２６に取り付けられる。また、他方の側面板１５Ｂの２個の取付片２３ａと１個の取付片２３ｂとが、図６における中間部材１２の側部２７の挿通孔２７ｂ，２７ｃをそれぞれ挿通され、図７における補強板１３の取付孔３２ｄ，３０ｆにそれぞれ対応する。
【００２３】
この取付孔３２ｄ，３０ｆにねじ（図示せず）を挿通させ、取付片２３ａ，２３ｂのねじ孔２３ｃに螺合させることにより、側面板１５Ｂが補強板１３に固定されるとともに、側部２７に取り付けられる。同時に、前面板１４の一対の被挟持部１４ｂが、中間部材１２の側部２６と側面板１５Ａの囲い壁１５ａおよび側部２７と側面板１５Ｂの囲い壁１５ａにそれぞれ挟持される。したがって、前面板１４は中間部材１２に取り付けられ、側面板１５Ａ，１５Ｂおよび中間部材１２に一体化される。図１０に示すように、取り付けられた前面板１４の被係合部１４ａの先端と、補強板１３の上板３３との間には隙間３４が形成されている。
【００２４】
このように表面パネル３を外装部材１１、中間部材１２および補強板１３とによって構成し、外装部材１１を補強板１３を介して中間部材１２に組み付けるようにしたので、外装部材１１の前面板１４に溶接による痕跡が現れず、このため外観が損なわれるようなことがない。また、図１１に示すように、外装部材１１の湾曲に形成された前面板１４の曲面に対応して、補強板１３に隆起部３０ｇが形成されていることにより、補強板１３の表面と前面板１４の表面との間隔Ｌが、ダイヤルボタン５の配設位置の如何にかかわらず同一に形成される。
【００２５】
したがって、すべてのダイヤルボタン５を同じ高さとすることができるので、同じ形状のダイヤルボタン５を使用することができる。このため、ダイヤルボタン５を１種類とすることができるので、これを成形する金型が１個で済むため製造コストが低減される。また、ラバーシート３６の押圧部３６ａの高さＴが漸次大きくなるように形成されていることにより、ダイヤルボタン５の前面板１４からの突出量も均一になり、このためダイヤルボタン５の押圧操作時における接点の動作不良が防止される。
【００２６】
次に、図１３ないし図１５に基づいて、筺体２について説明する。
筺体２は、背板５１、両側板５２，５３、上板５４および底板５５によって前面に開口２ａが形成された箱状を呈しており、上板５４の前端は上方に向かって折り曲げられ係合部５４ａが形成されている。５７はブラケットであって、図１４に示すように前端に断面がクランク状に折り曲げられ折曲部５８ａを形成する底部５８と、この底部５８の両側部が上方に折り曲げられた両側部５９，５９とによって正面視が略コ字状に形成されている。このブラケット５７は、底部５８と両側部５９，５９とが、筺体２の底板５５と両側板５２，５３の内面に固着されており、両側部５９，５９は、図１３に示すように、下端部５９ａ，５９ａと両側板５２，５２との間に空間Ｓが設けられるように断面がクランク状に形成されている。この両側部５９，５９の下端部５９ａ，５９ａには、上下方向に延在する円弧状の長孔５９ｂ，５９ｂが形成され、両側部５９，５９の上端部には、水平方向からやや斜め上方に延設された平面視コ字状の係止部５９ｃ，５９ｃが形成されている。
【００２７】
図１３において、６０は作動部材であって、上述したブラケット５７の両下端部５９ａ，５９ａに隣接した両側部６１，６２と、これら両側部６１，６２を連結する連結部６３とによって正面視略コ字状に形成されている。この作動部材６０は、両側部６１，６２がブラケット５７の両下端部５９ａ，５９ａに植設したピン６４を回動中心として両下端部５９ａ，５９ａに、図１４および図１５中時計、反時計方向に揺動自在に支持されている。両側部６１，６２には長孔状の係合孔６１ａ，６２ａが穿設され、この係合孔６１ａ，６２ａには、上述したブラケット５７の長孔５９ｂ，５９ｂに摺動自在に案内されるピン６５の一端が係合しており、このピン６５の他端は、図１３に示すように空間Ｓ内に臨んでいる。
【００２８】
図１３および図１４において、作動部材６０の一方の側部６１の上部には、正面視クランク状に上方に向かって延設された延設部６１ｂが折り曲げ形成され、この延設部６１ｂの上端には溝６１ｃが形成されている。錠前１０は、スタッド６７を介してブラケット５７の一方の側部５９に固定された支持板６６に取り付けられ、回動部１０ａにレバー６９が一体的に固定され、このレバー６９には上述した延設部６１ｂの溝６１ｃに係入されるピン７０が植設されている。
【００２９】
したがって、鍵操作によって錠前１０の回動部１０ａを回動させると、図１４中レバー６９が回動部１０ａを回動中心として時計、反時計方向に回動する。この回動は、ピン７０を介して作動部材６０の一方の側部６１をピン６４を回動中心として時計、反時計方向に回動させ、連結部６３を介して、他方の側部６２を図１５中ピン６４を回動中心として時計、反時計方向に回動させるように構成されている。これら両側部６１，６２の回動に追従してピン６５，６５がブラケット５７の長孔５９ｂ，５９ｂ内を上下に移動する。
【００３０】
次に、このような構成の筺体２に対する上述した表面パネル３の施錠動作を図１６ないし図１９に基づいて説明する。
図１６において、表面パネル３の下部を筺体２の開口２ａに対して側面視において上方に持ち上げるようにして表面パネル３を傾斜させ、ブラケット１３の上板３３と前面板１４の被係合部１４ａとの間の隙間３４に、筺体２の係合部５４ａを係入させる。この筺体２の係合部５４ａに前面板１４の被係合部１４ａを係合させることにより、係合部５４ａを回動中心として表面パネル３を図中反時計方向に回動させ、図１７に示すように、表面パネル３によって筺体２の開口２ａを閉じる。
【００３１】
表面パネル３によって筺体２の開口２ａを閉じると、表面パネル３のフック３１ａが、図１３に示すブラケット５７の下端部５９ａと筺体２の両側板５２，５３間の空間Ｓに嵌入し、フック３１ａがピン６５に対応するように位置付けられる。また、図１９に示すように、表面パネル３の被係止部３１ｂが筺体２の係止部５９ｃ内に係入するとともに、表面パネル３の側面板１５Ｂ，１５Ａの一部が筺体２の側板５２，５３（側面板１５Ａおよび側板５３は図示を省略）と重なり合う。また、前面板１４の折曲部１４ｃの直上にブラケット５７の折曲部５８ａが位置付けられる。
【００３２】
図１８に示すように、錠前１０を鍵操作し回動部１０ａを図中時計方向に回動させると、レバー６９も回動部１０ａと一体的に図中時計方向に回動するので、ピン７０に係合している溝６１ｃを介して、作動部材６０の側部６１がピン６４を回動中心として図中反時計方向に回動する。したがって、この側部６１の係合孔６１ａに係合しているピン６５が長孔５９ｂ内を下方に移動するので、フック３１ａに係合し、表面パネル３は、フック３１ａとピン６５との係合および係合部５４ａと被係合部１４ａとの係合とによって筺体２に施錠される。
【００３３】
このように、表面パネル３を施錠するのに、ピン６５をフック３１ａに係合させるだけでよく、従来のようにピンによってロッキングプレートを昇降させるようなことがないので、錠前の鍵操作時に負荷がかかることがなく、このため鍵操作が容易になる。また、表面パネル３の被係合部１４ａが係合する筺体２の係合部５４ａが上方に向かって折り曲げられていることにより、筺体２内への雨水の浸入が規制され、防水が図られる。また、表面パネル３によって筺体２の開口２ａを閉じると、表面パネル３の側面板１５Ｂ，１５Ａの一部が筺体２の側板５２，５３と重なり合うので、ドライバー等によって表面パネル３をこじ開けるのが困難になり、セキュリティが向上する。
【００３４】
さらに、筺体２の上部において、係止部５９ｃ，５９ｃに被係止部３１ｂ，３２ｂが係止されることにより、仮に、係合部５４ａと被係合部１４ａとの係合が解除されても、表面パネル３をこじ開けることができないので、セキュリティが向上する。また、表面パネル３は、解錠し筺体２の開口２ａを開放することにより筺体２から取り外すことができるので、表面パネル３および筺体２内の回路基板等の保守が容易になるだけではなく、表面パネル３の交換が容易になり、保守性が向上する。また、補強板１３にフック３１ａ，３２ａおよび被係止部３１ｂ，３２ｂを一体形成したことにより、これらフック３１ａ，３２ａおよび被係止部３１ｂ，３２ｂを形成する部材を新たに設ける必要がないので、部品点数が削減される。
【００３５】
【発明の効果】
以上説明したように、請求項１記載の発明によれば、蝶番等が不要になるので部品点数が削減されるとともに、蓋体を筺体から取り外すことができるので、保守性が向上する。また、錠前の操作時に負荷がかからないので、錠前の施錠、解錠の操作性が向上する。また、係合部によって筺体内への雨水の進入が規制されるので、防水が図られる。また、施錠状態がより確実に保持され、セキュリティが向上する。
【００３７】
また、請求項２記載の発明によれば、施錠するためにのみ必要な部材を設ける必要がないので、部品点数が削減され、製造コストが低減される。
【図面の簡単な説明】
【図１】  本発明に係る公衆電話機の外観を示す正面図である。
【図２】  本発明に係る公衆電話機の外観を示す側面図である。
【図３】  本発明に係る公衆電話機における表面パネルを分解して示す斜視図である。
【図４】  本発明に係る公衆電話機における表面パネルを構成する外装部材を分解して示す斜視図である。
【図５】  本発明に係る公衆電話機における表面パネルを構成する中間部材の斜視図である。
【図６】  本発明に係る公衆電話機の筺体における中間部材を示し、（ａ）は背面図、（ｂ）は右側面図、（ｃ）は左側面図、（ｄ）は平面図である。
【図７】  本発明に係る公衆電話機の筺体における表面パネルを構成する補強板の斜視図である。
【図８】  本発明に係る公衆電話機における表面パネルを構成する補強板を示し、（ａ）は正面図、（ｂ）は右側面図、（ｃ）は左側面図、（ｄ）は平面図である。
【図９】  本発明に係る公衆電話機における表面パネルを組み付ける状態を説明するための正面図である。
【図１０】  図１における筺体の図示を省略したX-X 線断面図である。
【図１１】  図１０における要部を拡大して示す断面図である。
【図１２】  図１における筺体の図示を省略したXII-XII 線断面図である。
【図１３】  本発明に係る公衆電話機の筺体の正面図である。
【図１４】  図１３におけるXIIII-XIIII 線断面図である。
【図１５】  図１３におけるXV-XV 線断面図である。
【図１６】  本発明に係る公衆電話機の筺体に表面パネルを組み付ける状態を示す図１におけるXII-XII 線断面図である。
【図１７】  本発明に係る公衆電話機における表面パネルによって筺体の開口を閉じた状態を示す図１におけるXII-XII 線断面図である。
【図１８】  本発明に係る公衆電話機における表面パネルを施錠した状態を示す図１におけるXII-XII 線断面図である。
【図１９】  図１７における一部を破断して示すXVIIII矢視図である。
【符号の説明】
１…公衆電話機、２…筺体、２ａ…開口、３…表面パネル、１０…錠前、１４…前面板、１４ａ…被係合部、１５Ａ，１５Ｂ…側面板、２６，２７…側部、３２ａ…フック部、３２ｂ…被係止部、５４ａ…係合部、５９ｃ…係止部、６０…作動部材、６５…ピン。
【図１】
0003641649.tif 000002
【図２】
0003641649.tif 000003
【図３】
0003641649.tif 000004
【図４】
0003641649.tif 000005
【図５】
0003641649.tif 000006
【図６】
0003641649.tif 000007
【図７】
0003641649.tif 000008
【図８】
0003641649.tif 000009
【図９】
0003641649.tif 000010
【図１０】
0003641649.tif 000011
【図１１】
0003641649.tif 000012
【図１２】
0003641649.tif 000013
【図１３】
0003641649.tif 000014
【図１４】
0003641649.tif 000015
【図１５】
0003641649.tif 000016
【図１６】
0003641649.tif 000017
【図１７】
0003641649.tif 000018
【図１８】
0003641649.tif 000019
【図１９】
0003641649.tif 000020